(57)【要約】【課題】建築部材をクレーン等の吊り装置によって吊り下げることなく転倒させたり起立させることができ、作業の安全性を向上させるとともに、取り扱いが容易で出荷作業を熟練を要さず迅速に行うことができるようにした建築部材運搬用パレットを提供する。【解決手段】  固定荷台２と、この固定荷台２上に回動軸８によって前後方向に回動自在に枢着された側面視Ｌ字状の可動荷台３と、この可動荷台３を起立、転倒させる駆動装置４とで建築部材運搬用パレット１を構成し、可動荷台３上に壁パネルユニット５を積載する。駆動装置４を遠隔操作される油圧シリンダ２５と油圧ユニット２６とで構成し、壁パネルユニット５が可動荷台３上に設置、固定されると、可動荷台３を後方に転倒させる。【選択図】  図１
2005112369.tif 000002
【特許請求の範囲】
【請求項１】
固定荷台と、この固定荷台上に垂直方向に回動自在に枢着された建築部材を積載する側面視Ｌ字状の可動荷台と、この可動荷台を起立、転倒させる駆動装置とを備えたことを特徴とする建築部材運搬用パレット。
【請求項２】
請求項１記載の建築部材運搬用パレットにおいて、
前記可動荷台を、建築部材の下端が固定される底板部と、前記建築部材の一側面が固定される垂直板部とで構成し、前記底板部と垂直板部の接続部を回動軸によって回動自在に枢支し、前記建築部材が前記可動荷台に対して積載され固定されると前記駆動装置が前記可動荷台を前記垂直板部が水平になり、前記底板部が垂直になるように後方に転倒させることを特徴とする建築部材運搬用パレット。
【請求項３】
請求項１または２記載の建築部材運搬用パレットにおいて、
前記駆動装置として油圧シリンダを用いたことを特徴とする建築部材運搬用パレット。
【請求項４】
請求項３記載の建築部材運搬用パレットにおいて、
前記駆動装置を遠隔操作可能に構成したことを特徴とする建築部材運搬用パレット。
【請求項５】
請求項１〜４のうちのいずれか１つに記載の建築部材運搬用パレットにおいて、
前記固定荷台に複数個の吊下用金具を設けたことを特徴とする建築部材運搬用パレット。
【請求項６】
請求項１〜５のうちのいずれか１つに記載の建築部材運搬用パレットにおいて、
前記可動荷台に建築部材を固定する複数個の建築部材固定用金具を設けたことを特徴とする建築部材運搬用パレット。
【請求項７】
請求項１〜６のうちのいずれか１つに記載の建築部材運搬用パレットにおいて、
前記固定荷台を搬送用車輌の荷台に対して固定する複数個の荷台固定用金具を設けたことを特徴とする建築部材運搬用パレット。
【発明の詳細な説明】
【技術分野】
【０００１】
本発明は、外装用壁材、内装用パネル材、壁パネルユニット等の建築部材をトラック等の輸送用車輌によって搬送する際に用いて好適な建築部材運搬用パレットに関するものである。
【背景技術】
【０００２】
従来、壁パネル等の建築部材を製造工場から出荷して建築現場へ運搬する方法としては、運搬用パレットに建築部材を直接積載して固定するか、または建築部材を収容ラックに収納し、このラックをパレットに積載し固定した後、パレットをトラック等の輸送用車輌に積載して運搬する方法が多く採られてきた。そして、輸送に際しては、建築部材の高さが高いと運搬経路途中の道路事情、建築現場の事情等により建築部材、あるいは建築部材を収容したラックを横倒しにして搬送用車輌に搭載する必要があり、その場合はクレーン等による吊り下げ装置を用いて横倒しして積載するようにしている（例えば、特許文献１，２参照）。なお、出願人は本明細書に記載した先行技術文献情報で特定される先行技術文献以外には、本発明に密接に関連する先行技術文献を出願時までに見つけ出すことはできなかった。
【特許文献１】特開平６−３０４８２１号公報
【特許文献２】特開２００３−１６６３４５号公報
【０００３】
前記特開平６−３０４８２１号公報に記載されたパネル収納ラックは、複数のパネル収納部に壁パネルを収納し、かつこの壁パネルをそれぞれパネル収納部から取り出し可能にしたパネル収納ラックにおいて、ラック本体内を複数の縦の仕切りによって仕切ることにより、隣り合う仕切り間のスリットをパネル収納部とし、各パネル収納部の底部にフリーローラーを設け、その上に壁パネルの下端を載置するようにしたものである。なお、ラックの搬送は、フォークリフトによって行っている。
【０００４】
前記特開２００３−１６６３４５号公報に記載された建築用パネル用ラックおよび建築用パネルの取出し方法は、立て起こされた建築用パネルの下端面を支持する底面フレームと、この底面フレームの縁部に設けた複数の側面フレームとで縦長箱型のラックを形成し、前記複数の側面フレームのうちの少なくとも１つを底面フレームの縁部に回動自在に連結し、ラック内の建築用パネルを略水平状態で取り出せるようにするために前記ラックを横倒しにした際に、回動自在側面フレームを上方に回動させてラックを開くようにしたものである。ラックを横倒しする際には、クレーンでラックを吊り下げて徐々に傾けていき地面に設置するようにしている。
【発明の開示】
【発明が解決しようとする課題】
【０００５】
上記した従来の建築用ラックは、いずれも建築用パネルを収納した後、起立、転倒させるためにクレーン等の吊り装置による吊り下げ作業が必要であった。しかしながら、クレーン等によって吊り下げて、起立させたり横倒しにする作業は、作業中にラックが地面から浮き上がり、さらに重心位置がずれることにより大きく動くため、周囲の作業者や物品、構造体に接触するおそれがある。このため、作業場周囲の状況を十分に把握して横倒し作業を慎重に行わなければならず、熟練を要するという問題があった。
【０００６】
本発明は上記した従来の問題を解決するためになされたもので、その目的とするところは、建築部材をクレーン等の吊り装置によって吊り下げることなく転倒させたり起立させることができ、作業の安全性を向上させるとともに、取り扱いが容易で出荷作業を熟練を要さず迅速に行うことができるようにした建築部材運搬用パレットを提供するものである。
【課題を解決するための手段】
【０００７】
上記目的を達成するために第１の発明は、固定荷台と、この固定荷台上に垂直方向に回動自在に枢着された建築部材を積載する側面視Ｌ字状の可動荷台と、この可動荷台を起立、転倒させる駆動装置とを備えたものである。
【０００８】
第２の発明は上記第１の発明において、前記可動荷台を、建築部材の下端が固定される底板部と、前記建築部材の一側面が固定される垂直板部とで構成し、前記底板部と垂直板部の接続部を回動軸によって回動自在に枢支し、前記建築部材が前記可動荷台に対して積載され固定されると前記駆動装置が前記可動荷台を前記垂直板部が水平になり、前記底板部が垂直になるように後方に転倒させるものである。
【０００９】
第３の発明は上記第１または第２の発明において、前記駆動装置として油圧シリンダを用いたものである。
【００１０】
第４の発明は上記第３の発明において、前記駆動装置を遠隔操作可能に構成したものである。
【００１１】
第５の発明は上記第１〜第４の発明のうちのいずれか１つにおいて、前記固定荷台に複数個の吊下用金具を設けたものである。
【００１２】
第６の発明は上記第１〜第５の発明のうちのいずれか１つにおいて、前記可動荷台に建築部材を固定する複数個の建築部材固定用金具を設けたものである。
【００１３】
第７の発明は上記第１〜第６の発明のうちのいずれか１つにおいて、前記固定荷台を搬送用車輌の荷台に対して固定する複数個の荷台固定用金具を設けたものである。
【発明の効果】
【００１４】
本発明においては、駆動装置によって可動荷台を起立、転倒させることができるため、可動荷台に搭載された建築部材をクレーン等の吊り装置によって吊り下げなくても転倒させることができる。したがって、作業の安全性と出荷作業の迅速化を図ることができる。
油圧シリンダからなる駆動装置は、荷物である建築部材の重量によらず滑らかに起立、転倒させることができるため、転倒時の振動や衝撃が少なく、建築部材やパレット自体の破損を防止することができる。また、遠隔操作することにより、建築部材の出荷作業時の安全性を一層向上させることができる。
吊下用金具は、吊りワイヤに取付けたフックを掛けることにより、クレーン等の吊り装置によるパレットの吊り下げを可能にし、これによりパレットを建築部材とともにトラック等の搬送用車輌の荷台に搭載することができる。
建築部材固定用金具は、建築部材を可動荷台に対して確実に固定することができる。
荷台固定用金具は、固定荷台を搬送用車輌の荷台に対してボルト等によって固定されることにより、パレットを動かないようにする。
【発明を実施するための最良の形態】
【００１５】
以下、本発明を図面に示す実施の形態に基づいて詳細に説明する。
図１は本発明に係る建築部材搬送用パレットの一実施の形態を示す概略斜視図、図２は同パレットに建築部材を搭載した状態を示す斜視図、図３は同パレットの正面図、図４は同パレットの側面図、図５は同パレットの可動荷台を後方に転倒させた状態を示す側面図、図６は荷台固定用金具の斜視図、図７は建築部材固定用金具の斜視図、図８は可動荷台の傾倒動作の軌跡を示す図である。
【００１６】
これらの図において、全体を符号１で示す建築部材搬送用パレットは、固定荷台２と、この固定荷台２上に垂直方向（前後方向）に回動自在に枢着された可動荷台３と、この可動荷台３を起立、転倒させる遠隔操作可能な駆動装置４等で構成され、前記可動荷台３に建築部材としての壁パネルユニット５を積載し固定するように構成されている。
【００１７】
前記固定荷台２は、金属製フレームを溶接することによって前後方向に長い矩形の平板状に形成することにより十分な強度と剛性を有し、上面の左右両側部の後半部に立上壁６Ａ，６Ｂが突設されており、これらの立上壁６Ａ，６Ｂ間が溝７を形成している。各立上壁６Ａ，６Ｂの上面前端部には、前記可動荷台３を回動自在に枢支する左右一対の回動軸８がブラケット９を介してそれぞれ取付けられている。また、固定荷台２には、それぞれ４個からなる荷台固定用金具１０と吊下用金具１１が取付けられている。前記荷台固定用金具１０は、固定荷台２を搬送用車輌の荷台に対してボルト等の固定手段によって固定するために用いられるもので、ボルトが挿通されるボルト用孔を有するＬ字状の金具からなり（図６）、前記固定荷台２の両側面前後端にそれぞれ固定されている。前記吊下用金具１１は、壁パネルユニット５が搭載された後、パレット１をトラック等の搬送用車輌の荷台に積載する際に、クレーン等の吊り装置のワイヤに取付けたフックを掛ける部分で、前記各立上壁６Ａ，６Ｂの外側面前後端にそれぞれ取付けられている。
【００１８】
前記可動荷台３は、側面視Ｌ字状に形成されることにより、十分な強度と剛性を有する底板部３Ａと、同じく十分な強度と剛性を有し前記底板部３Ａの後端に下端が接続され、上方に向かって延在する垂直板部３Ｂとで構成され、これら底板部３Ａと垂直板部３Ｂの接続部１５が前記一対の回動軸８によって回動自在に枢支されている。このため、垂直板部３Ｂの背面下部には、左右一対のブラケット１６が前記固定荷台２のブラケット９に対応して固定されており、これらのブラケット９，１６によって前記各回動軸８を支持している。前記底板部３Ａの四隅部には、前記壁パネルユニット５の下端を固定するための建築部材固定用金具１７が側方に突出して取付けられている。この建築部材固定用金具１７には、複数個のボルト挿通孔が形成されている。
【００１９】
前記垂直板部３Ｂの左右の支柱部１９ａ，１９ｂの上端部には、前記壁パネルユニット５の左右両端部を固定する建築部材固定用金具２０がそれぞれ固定されている。これらの建築部材固定用金具２０は、図７に示すように支柱部１９ａ，１９ｂの前方に突出する水平板２０ａと、この水平板２０ａの前端部にボルト２１によって固定される平面視Ｌ字状の金具２０ｂとで構成されている。
【００２０】
前記駆動装置４は、油圧シリンダ２５と、油圧ユニット２６とで構成されている。油圧シリンダ２５は、２本の油圧パイプ２７によって前記油圧ユニット２６に接続されたシリンダ本体２８と、このシリンダ本体２８の前方に突出する進退自在なピストンロッド２９とで構成され、前記固定荷台２の溝７内に収納配置されている。前記シリンダ本体２８は、後端が前記固定荷台２の後端に設けたブラケット３０に連結ピン３１を介して上下方向に回動自在に枢着されている。前記ピストンロッド２９の外端は、前記垂直板部３Ｂの背面下部に取付けたブラケット３３に同じく連結ピン３４を介して上下方向に回動自在に枢支されている。
【００２１】
前記壁パネルユニット５は、スーパーストアー、ファミリーレストラン等のチェーン店として用いられるプレハブ式建物の鉄骨製構造体のコーナー部等に据え付けられることにより構造体の一部を構成するものであり、パネル製造工場によって組立てられることによりユニット化された後、前記パレット１に搭載されてトラック等の搬送用車輌により建築現場に搬送されるものである。この壁パネルユニット５は、空洞な縦長の直方体からなるパネル収納体３５と、このパネル収納体３５内に引出し自在に収納された複数枚の壁パネル３６とで構成されている。パネル収納体３５は、４本の支柱３７と、これらの支柱３７の上端を連結する２本の上枠部材３８ａ，３８ｂおよび仮設梁３９と、対向する上枠部材３８ａと仮設梁３９間に横架された２本の送出レール４０ａ，４０ｂと、前記上枠部材３８ａの下面に取付けられ前記送出レール４０ａ，４０ｂの一端が連結された移送レール４１と、支柱３７を補強する筋かい４２等で構成されている。各支柱３７の下端には、前記底板部３Ａの建築部材固定用金具１７にボルトによって固定される固定プレート４３がそれぞれ取付けられ、また送出レール４０ａ側の２本の支柱３７の上端部の外側面には、前記建築部材固定用金具２０を固定するための前記ボルト２１がねじ込まれるねじ孔４５が形成されている。前記送出レール４０ａ，４０ｂと移送レール４１は、互いに直交している。
【００２２】
前記各壁パネル３６は、縦方向に長い板体からなり、前記一対の送出レール４０ａ，４０ｂに吊り金具４６によって移動自在に吊り下げられた状態でパネル収納体３６に収納されている。
【００２３】
このような壁パネルユニット５は、トラック等の搬送用車輌によってパレット１とともに建築現場に搬送する際に、壁パネル３６がパネル収納体３５内において動かないようにするために、予めエアマット等の養生材を支柱３７と壁パネル３６との間に介在させておくことが望ましい。
【００２４】
このような構造からなる建築物運搬用パレット１において、壁パネルユニット５をパレット１上に搭載するには、壁パネルユニット５を製造工場で組立て、エアマット等の養生材によって壁パネル３６をパネル収納体３５に対して動かないように固定した後、フォークリフトによって持ち上げるか、またはクレーン等の吊り装置によって吊り下げて可動荷台３の底板部３Ａ上に設置する。このとき、壁パネルユニット５は垂直に立った状態で組立てられるので、クレーンで吊り下げるときはそのまま吊り下げればよい。また、底板部３Ａ上に設置する場合も垂直に立っている状態で設置すればよいので、クレーンで吊り下げたとき転倒させる必要がない。
【００２５】
壁パネルユニット５を底板部３Ａ上に設置する場合は、固定プレート４３を建築部材固定用金具１７と一致するように位置決めして設置し、ボルトによって固定プレート４３を建築部材固定用金具１７に固定する。
【００２６】
また、壁パネルユニット５の後方側２本の支柱３７，３７を、垂直板部３Ｂの支柱部１９ａ，１９ｂに建築部材固定用金具２０を介して固定する（図７参照）。支柱３７の固定に際しては、支柱３７を水平板２０ａの内側面に密接する。次に、金具２０ｂを水平板２０ａの前端部外側面と、支柱３７の前面に密接し、ボルト２１によって金具２０ｂと水平板２０ａを支柱３７に対して共締め固定する。これによって壁パネルユニット５は合計６箇所、すなわち４本の支柱３７の下端と、２本の支柱３７の上端部が可動荷台３に対して固定されたことになる。
【００２７】
次に、駆動装置４を駆動して壁パネルユニット５が設置されている可動荷台３を図８に示すように、後方に略９０°回動させて垂直板部３Ｂを立上壁６Ａ，６Ｂの上に載置し、底板部３Ａを垂直にする。これにより、壁パネルユニット５は後方に転倒される。これは、運搬時の道路事情、例えばトンネルの高さやガードレールの桁下高さ以下に積載高さを抑えるためである。
【００２８】
パレット１に積載した壁パネルユニット５を運搬用車輌に搭載するときは、クレーン等の吊り装置によって搭載する。パレット１を荷台に載せるには、４本の吊りワイヤを用い、各ワイヤの下端に取付けたフックを吊下用金具１１にそれぞれ掛ける。そして、パレット１を吊り下げて荷台に載せ、荷台固定用金具１０を荷台にボルトによって固定することにより、荷台への積載作業を終了する。このとき、油圧ユニット２６も荷台に積載する。
【００２９】
荷台への積載作業が終了すると、運搬用車輌を運転して建築現場に搬送し、クレーンによってパレット１を荷台から降ろす。また、油圧ユニット２６も降ろす。そして、油圧ユニット２６を操作して可動荷台３を起立させ、しかる後壁パネルユニット５をクレーンによって吊り下げて、建築現場の基礎体の所定の位置に搬送し設置する。
【００３０】
このように、パレット１の可動荷台３によって壁パネルユニット５を転倒させたり起立させるようにしているので、クレーン等の吊り装置によって壁パネルユニット５を吊り下げて横転させる必要がなく、したがって壁パネルユニット５の出荷作業を熟練を必要とせず容易に安全かつ迅速に行え、作業の安全性を向上させることができる。
【００３１】
また、油圧パイプ２７を長くして作業者がパレット１から十分に離れた安全な場所で油圧ユニット２６を操作し、油圧シリンダ２５を駆動することにより、一層作業の安全性を向上させることができる。
【００３２】
なお、上記した実施の形態においては、建築部材として複数枚の壁パネル３６をパネル収納体３５内に吊り下げて収納した壁パネルユニット５に適用した場合について示したが、本発明はこれに何ら限定されるものではなく、各種の建築部材、特に道路事情等から転倒させて搬送する必要がある縦長の建築部材に適用して好適である。
【図面の簡単な説明】
【００３３】
【図１】本発明に係る建築部材搬送用パレットの一実施の形態を示す概略斜視図である。
【図２】同パレットに建築部材を搭載した状態を示す斜視図である。
【図３】同パレットの正面図である。
【図４】同パレットの側面図である。
【図５】同パレットの可動荷台を後方に転倒させた状態を示す側面図である。
【図６】荷台固定用金具の斜視図である。
【図７】建築部材固定用金具の斜視図である。
【図８】可動荷台の傾倒動作の軌跡を示す図である。
【符号の説明】
【００３４】
１…建築部材搬送用パレット、２…固定荷台、３…可動荷台３、３Ａ…底板部、３Ｂ…垂直板部、４…駆動装置、５…壁パネルユニット、８…回動軸、１０…荷台固定用金具、１１…吊下用金具、１７，２０…建築部材固定用金具、２５…油圧シリンダ。
【図１】
2005112369.tif 000003
【図２】
2005112369.tif 000004
【図３】
2005112369.tif 000005
【図４】
2005112369.tif 000006
【図５】
2005112369.tif 000007
【図６】
2005112369.tif 000008
【図７】
2005112369.tif 000009
【図８】
2005112369.tif 000010